(57)【要約】【課題】  識別機能を備えた印刷物を得る方法を提供する。【解決手段】  磁性材料を含んだ繊維を漉き込んだ印刷用紙１０３ａに所定の印刷内容１０５を印刷する際に、識別情報読み取り領域１０４の磁気を磁気検出装置によって読み取り、それをバーコード化し、バーコード１０６として印刷する。これにより、識別媒体としての機能を備えた印刷物１０３ｂを得る。印刷物１０３ｂの真正を判定する際には、識別情報読み取り領域１０４を磁気検出装置によってスキャンして磁気識別情報を得、またバーコード１０６をイメージセンサによって読み取り、印刷識別情報を得る。そして、両者を比較する。【選択図】  図１
2007164293.tif 000002
【特許請求の範囲】
【請求項１】
磁性材料を含んだ繊維を漉き込んだ紙の少なくとも一部を磁気検出手段によってスキャンするステップと、
前記スキャン時における前記磁気検出手段の出力に基づいた識別情報を生成するステップと、
前記識別情報の記録および所定の印刷内容の印刷を前記紙に対して行うステップと
を備えることを特徴とする識別媒体の作成方法。
【請求項２】
前記識別情報は、前記印刷内容に関連付けられていることを特徴とする請求項１に記載の識別媒体の作成方法。
【請求項３】
前記識別情報が文字またはバーコードデータを含むことを特徴とする請求項１または２に記載の識別媒体の作成方法。
【請求項４】
磁性材料を含んだ繊維を漉き込んだ紙の少なくとも一部から磁気情報を検出する磁気検出手段と、
前記磁気検出手段の出力に基づいた識別情報を生成する識別情報生成手段と、
前記識別情報の記録および所定の印刷内容の印刷を前記紙に対して行う記録手段と
を備えることを特徴とする識別媒体の作成装置。
【請求項５】
前記識別情報は、前記印刷内容に関連付けられていることを特徴とする請求項４に記載の識別媒体の作成装置。
【請求項６】
前記識別情報が文字またはバーコードデータを含むことを特徴とする請求項４または５に記載の識別媒体の作成装置。
【発明の詳細な説明】
【技術分野】
【０００１】
本発明は、真正であることを確認することができる識別媒体の作成方法、およびその作成装置に係り、印刷物を作成する際に、同時に識別情報が記録される仕組みに関する。
【０００２】
真正であることを識別するための技術として、磁性材料を用いた方法が知られている（例えば、特許文献１〜５を参照）。この識別技術においては、識別媒体中に含まれる磁性材料の分布状態の違い等に起因する磁気検出装置の出力波形の違いを利用して、識別が行われる。
【０００３】
【特許文献１】特許第２６８０９８０号
【特許文献２】特許第２７１８６２４号
【特許文献３】特許第２７２６７９４号
【特許文献４】特許第２８２１３５２号
【特許文献５】特許第２８２１３６７号
【発明の開示】
【発明が解決しようとする課題】
【０００４】
ところで、真正を判定する識別対象として重要書類や各種の証明書があるが、これらの書類の真偽の判定においては、その発行が正式に行われたのか否かが重要な問題となる。例えば、パスポートを考えた場合、そのパスポートが正式に当該国の正式な機関によって発行されたものであるのか否かが、その真偽判定において重要となる。したがって、このような書類には、正式な発行手続を経て発行されたことを識別することができる識別機能が望まれる。そこで、本発明は、印刷物の作成と同時にその真正を識別するための識別機能を付与することができる技術の提供を目的とする。
【課題を解決するための手段】
【０００５】
本発明の識別媒体の作成方法は、磁性材料を含んだ繊維を漉き込んだ紙の少なくとも一部を磁気検出手段によってスキャンするステップと、前記スキャン時における前記磁気検出手段の出力に基づいた識別情報を生成するステップと、前記識別情報の記録および所定の印刷内容の印刷を前記紙に対して行うステップとを備えることを特徴とする。
【０００６】
磁性材料を含んだ繊維を漉き込んだ紙には、磁性を示す繊維がランダムに配向して含まれている。この繊維の配向状態や分布状態は、指紋や虹彩のように各紙において固有な状態であるので、それを利用することで、各紙を識別することができる。すなわち、この紙の所定の部分を磁気検出装置でスキャンすると、繊維の配向状態や分布状態に応じて、磁気検出装置の出力が変化する。この磁気検出装置の出力の変化（時間軸方向における出力波形）は、各紙において異なるものとなる。したがって、この磁気検出装置の出力の変化を比較することで、各紙を識別することができる。
【０００７】
上記の発明においては、磁性材料を含んだ繊維を漉き込んだ紙に所定の印刷を行う際に、この紙の所定の部分を磁気検出手段によってスキャンし、その際の磁気検出手段の出力を検出する。そして、この出力に対して、所定の変換操作を行いこの紙の識別情報を生成する。例えば、磁気検出手段の出力の変化を時間軸上で検出し、それをＡ／Ｄコンバータを用いてサンプリングすることで、デジタルデータを得、このデジタルデータを予め決めておいた変換規則に従って、所定のデータ（例えば、バーコードデータや文字列等）に置き換える。この所定のデータは、紙中の磁性を示す繊維の配向状態や分布状態を反映したものであり、その紙を特定することができる識別情報となる。上記の発明においては、当該紙に所定の印刷内容（例えば証券であれば、証券の内容）を印刷する際に、この識別情報を記録する。こうして、所定の内容が印刷され、同時に紙の識別情報が記録された印刷物が得られる。この印刷物は、それを他の印刷物から識別する機能を備えた識別媒体となる。識別情報の記録形態としては、バーコードや文字列の印刷、磁性インクによる印字、磁性体への磁気記録、ＩＣチップへの電磁的なデータの記録を挙げることができる。
【０００８】
上記の発明によれば、まず紙自体が磁性材料を含んだ繊維による識別性を備え、さらにこの識別性をデータ化したものが例えば、バーコードや文字列として紙に記録される。この印刷物を識別する際には、磁性材料を含んだ繊維による識別情報を検出し、それを所定の変換規則に従って電子的な識別情報に変換する。一方、記録された識別情報をバーコードリーダやＯＣＲ(Optical Character Reader)機能等によって読み取る。そして前記磁気情報から得た識別情報と、この記録された識別情報とを比較する。記録された識別情報と磁気情報との相関性を予め定めておけば、この比較結果から、印刷物の真正を判断することができる。つまり、当該印刷物が正式な手続を踏んで発行されたものであるか否かを判定することができる。例えば、パスポートの例でいえば、正式な政府機関により発行されたものであるか否かを判定することができる。
【０００９】
この仕組みによれば、読み取り側（識別を行う側）は、印刷時に行われる磁気検出手段の出力に基づく識別情報の生成のための取り決め（変換規則の取り決め）、および磁気検出を行う場所に関する情報が分かっていればよい。
【００１０】
本発明を利用した紙材料は、磁性を示す繊維がランダムに３次元的にパルプに絡まっており、またその絡まり具合も、抄紙時にランダムに決まるため再現性がない。磁気センサによって検出される識別情報には、平面方向のみではなく、深さ方向における繊維の配向状態や分布状態も含まれる。そして、３次元的な繊維の状態は、製紙された状態において調べることは困難である。したがって、磁性を示す繊維の配向状態や分布状態を人為的に再現し、全く同じ用紙を偽造することは極めて困難なものとなる。
【００１１】
識別のための印刷情報は、文字（数字を含む）またはバーコードデータ（２次元バーコードを含む）によって構成されることが好ましい。また、識別のための印刷情報として、所定の画像イメージを利用することもできる。また、識別のための印刷情報を紙媒体中に保持させる（あるいは表示させる）手段として、磁気ストライプ、ＭＩＣＲ(Magnetic Ink Character Recognition)、ＩＣチップ等を利用することもできる。磁気ストライプを利用する場合は、紙材料中（または紙表面）に磁性記録媒体の領域を設け、そこに識別のための情報が磁気的に記録されることになる。また、ＩＣチップを用いる場合には、当該ＩＣチップに識別情報が電子的に記録されることになる。なお、ＩＣチップを用いる場合には、磁性を示す繊維を漉き込み、さらにＩＣチップを埋め込んだ（あるいは貼り付けた）用紙を用意する必要がある。本発明の識別媒体を適用可能な対象としては、各種の書類、証券、権利書、証明書、免許書、紙幣、指令書や指示書、金券、チケット、パスポート、各種の許可書、通帳、役所が発行する各種証明書（印鑑証明書や登記簿等）を挙げることができる。
【００１２】
本発明において、記録される識別情報を、印刷物に印刷された本文の印刷内容に関連付けてもよい。例えば、本発明を利用して印刷される書類において、印刷用紙が示す固有の磁気情報に加えて、書類の内容となる印刷される文書に基づいた情報を加味して別途印刷するバーコードや文字列等の印刷識別情報を作成する。こうすることで、バーコードや文字列によって表される印刷識別情報に、用紙の固有情報に加えて印刷文書の内容に関する固有情報を含ませることができる。そのため、文書内容の印刷と識別情報の印刷が同時に行われたことを示す識別機能を確実なものにすることができ、高い偽造防止効果を得ることができる。印刷内容から抽出される情報としては、文字（数字を含む）をコード化したもの、文字数をコード化したもの、行数をコード化したもの、印刷された文字の大きさや行間隔をコード化したもの、所定の文字の出現頻度をコード化したもの、これらを複数組み合わせたもの等を挙げることができる。
【００１３】
本発明は、識別媒体の作成装置として把握することもできる。すなわち、磁性材料を含んだ繊維を漉き込んだ紙の少なくとも一部から磁気情報を検出する磁気検出手段と、前記磁気検出手段の出力に基づいた識別情報を生成する識別情報生成手段と、前記識別情報の記録および所定の印刷内容の印刷を前記紙に対して行う記憶手段とを備える識別媒体の作成装置として把握することもできる。
【００１４】
上記識別媒体の作成装置によれば、例えば複写厳禁の重要書類の印刷時に、プリントアウトと同時にこの書類に識別媒体としての機能を付与する印刷装置を得ることができる。例えば、この印刷装置は、磁性材料を含んだ繊維を漉き込んだ紙を印刷用紙として用い、この紙に所定の事項を印刷する際に、読み取った磁気情報に基づく識別情報を同時に印刷する。この場合、装置内に印刷用紙が送り込まれた際に、用紙の所定の部分が磁気検出装置でスキャンされ、磁気情報が取得され、それが印刷情報に変換されて、用紙上に所定の印刷内容と共に印刷される。この仕組みによれば、磁性材料を含んだ繊維を漉き込んだ紙を用紙として所定の印刷を行うだけで、識別機能が付与された印刷物を作成することができる。この識別媒体の作成装置を用いると、識別機能を有する証書や証券等を簡単に作成することができる。本発明の識別媒体の作成装置は、印刷装置、コピー機、ＦＡＸ、これら機器の機能を２つ以上兼ね備えた複合機等に適用することができる。
【発明の効果】
【００１５】
本発明によれば、所定内容の印刷時に印刷用紙が備える磁気情報が読み取られ、さらにその読み取られた磁気情報をデータ変換したものが文字列やバーコードとして当該印刷用紙に記録される。これにより、印刷を行うだけで、識別媒体としての機能を備えた印刷物を得ることができる。すなわち、本発明によれば、印刷物の作成と同時にその真正を識別するための識別機能を付与することができる。
【発明を実施するための最良の形態】
【００１６】
１．第１の実施形態
（１−１：識別媒体の作成装置）
図１は、本発明を利用した識別媒体の作成装置の概要を示す模式図である。図１には、印刷装置１０１、パーソナル・コンピュータ１０２、印刷用紙１０３ａ（印刷前）および印刷用紙１０３ａに印刷を行った後の状態である印刷物１０３ｂが示されている。印刷装置１０１は、本発明の識別媒体の作成装置の一例である。この例において、印刷装置１０１は、パーソナル・コンピュータ１０２によって作成された内容（文書等）を印刷用紙１０３ａに印刷する。図１には、印刷により文書等の印刷内容１０５が印刷物１０３ｂ上に印刷された状態が示されている。印刷用紙１０３ａは、磁性を示す繊維を紙漉時に全体に混入させた紙である。この例において、磁性を示す繊維は、磁性粉末を分散させたアクリル繊維である。この印刷用紙１０３ａの中には、このアクリル繊維が３次元的にランダムに分布している。
【００１７】
印刷用紙１０３ａの所定の領域には、識別情報読み取り領域１０４が設定されている。なお、図１には、識別情報読み取り領域１０４が明示されているが、この部分は識別情報の読み取りを行うための領域として任意に設定される領域であり、実際には、印刷用紙１０３ａを見ても、どの部分が識別情報読み取り領域１０４であるかは分からない。勿論、識別情報読み取り領域１０４を認識することができるようにすることもできるが、セキュリティー性を高める観点からは、その場所を特に明示しないようにすることが好ましい。なお、磁性を利用した情報の読み取りは、紙面のどこであっても可能であるので、識別情報読み取り領域１０４は、印刷用紙１０３ａのどこであっても良い。
【００１８】
図２は、印刷装置１０１の概要を示すブロック図である。図２に示すように、印刷装置１０１は、ＭＲヘッドを備えた磁気検出装置２０１、この磁気検出装置２０１の出力をＡ／Ｄ変換し、所定の信号形態に変換する磁気信号検出装置２０２を供えている。また、所定の印刷情報を印刷用紙１０３ａに印刷する印刷ヘッド２０３、印刷ヘッド２０３を駆動する印刷制御装置２０４を備えている。なお、図示省略するが、印刷装置１０１は、印刷用紙１０３ａを搬送するための機構等を他に備えている。この点は、通常の印刷装置と同じである。なお、磁気検出装置２０１としては、他の構造の磁気ヘッドやホール素子を利用することもできる。
【００１９】
磁気検出装置２０１は、印刷用紙１０３ａに設定された識別情報読み取り領域１０４をスキャニングし、その部分が示す磁気情報を検出する。この際、まず印刷用紙１０３ａが印刷装置１０１内を搬送されている状態において、磁気検出装置２０１の読み取りヘッド（ＭＲヘッド）を印刷用紙１０３ａの識別情報読み取り領域１０４に近接させる。そうすると、印刷用紙１０３ａ中にランダムな状態で含まれる磁性を示す繊維が、読み取りヘッドの前を次々に通過する。磁性を示す繊維はランダムに存在しているので、磁気検出装置２０１の出力は、そのランダムな状態に応じた波形となる。この波形は、例えば符号２０５によって示されるような強弱の激しい波形となる。
【００２０】
磁気信号検出装置２０２は、磁気検出装置２０１の出力をＡ／Ｄ変換し、それに基づいてバーコードデータを生成し、それを印刷制御装置２０４に送る。このバーコードデータは、識別情報読み取り領域１０４内に存在する磁性を示す繊維の分布状態や配向状態を反映したものであり、印刷物１０３ｂを識別するための磁気識別情報となる。また、図１に示すパーソナル・コンピュータ１０２からは所定の印刷データ（例えば書類の印刷内容のデータ）が印刷装置１０１に出力され、それは印刷制御装置２０４に取り込まれる。印刷制御装置２０４は、磁気信号検出装置２０２から出力されるバーコードデータと、図１のパーソナル・コンピュータ１０２から送られてきた印刷データとに基づいて、印刷ヘッド２０３を駆動し、各データに基づいた印刷を印刷用紙１０３ａの所定の場所に対して実行する。この印刷により、図１に一例が示されるように印刷内容１０５およびバーコード１０６が印刷される。
【００２１】
（１−２：識別機能）
個々の印刷用紙１０３ａにおける磁性を示す繊維の配向状態や分布状態は、指紋や虹彩のように各用紙において独特のものとなる。これは、紙漉時に、磁性を示す繊維が紙の材質中にランダムに取り込まれるからである。したがって、上述した磁気検出装置２０１の出力波形２０５も各用紙において異なる独特なものとなる。このため、図２に示すような磁気検出装置２０１の出力波形２０５に基づいたバーコードデータは、各用紙を識別するための情報となる。
【００２２】
この印刷物１０３ｂの真正を確認するには、識別情報読み取り領域１０４が示す磁気識別情報を磁気検出装置によって読み取り、またバーコード１０６が示す印刷識別情報をバーコードリーダによって読み取り、更に両者を比較可能なデータ形式に変換した上で比較する。印刷物１０３ｂが印刷装置１０１を用いて正式に印刷された真正なものであれば、識別情報読み取り領域１０４が示す磁気識別情報と、バーコード１０６が示す印刷識別情報とは一致する。これにより、印刷物１０３ｂが真正であると判定することができる。また両者が一致しなければ、用紙あるいはバーコードが正式なものでない（つまり真正でない）と判定することができる。
【００２３】
（１―３：作成装置の動作）
以下、図１に示す印刷装置１０１の動作について説明する。ここでは、印刷により複写厳禁の重要書類を作成する例を説明する。図１には、印刷内容１０５が示されている。この印刷は、印刷前の印刷用紙１０３ａが印刷装置１０１に差し込まれ、印刷装置１０１内を通過する際に行われる。図２に示すように、この印刷が行われる際、印刷装置１０１内に引き込まれた印刷用紙１０３ａに対して、識別情報読み取り領域１０４（図１参照）が磁気検出装置２０１によってスキャニングされる。この際、磁気検出装置２０１の出力は、磁性を示す繊維の配向状態や分布状態に応じた波形２０５のようなものとなる。この出力は、磁気信号検出装置２０２においてバーコードデータに変換され、さらにこのバーコードデータは、印刷制御装置２０４に送られる。印刷制御装置２０４は、パーソナル・コンピュータ１０２から送られてくる印刷データに基づいて、図１の符号１０５によって例示される所定の印刷を行い、同時にバーコードデータに基づいたバーコード１０６を印刷する。こうして、所定の文書１０５および識別情報となるバーコード１０６が印刷された印刷物１０３ｂを得ることができる。この印刷用紙１０３は、識別媒体としての機能を備えたものとなる。
【００２４】
（１−４：印刷用紙）
以下、印刷用紙１０３ａについて説明する。図３は、印刷用紙１０３ａの概略の構造を示す概念図である。図３（Ａ）は全体の概要を示し、図３（Ｂ）は層構造を示す。図３に示すように、印刷用紙１０３ａは、下から第１層３０１、第２層３０２、および第３層３０３と積層された３層構造を有している。第１層３０１と第３層３０３は、通常の紙質の層である。間に挟まれた中間の第２層３０２は、紙漉の工程において、磁性粉体を含んだ磁性を示す繊維３０２ａを漉き込み分散させた層である。この構造によれば、繊維を含んだ層が、繊維を含まない層によって上下から挟み込まれ、繊維が離脱し難い状態とすることができる。
【００２５】
まず、この印刷用紙１０３ａの特徴を説明する。この印刷用紙１０３ａを、磁気検出装置を用いてスキャンすると、ランダムに分布した磁性を示す繊維３０２ａの磁気が検出される。この検出信号は、繊維３０２ａのランダムな配向状態および分布状態に応じた強弱を示すものとなる。繊維３０２ａの分布状態や配向状態は、漉き込み時に決まるものであるが、それは漉き込みを行う毎に異なる。したがって、繊維３０２ａの分布状態や配向状態は、各用紙において異なるものとなる。上述した磁気検出装置の出力波形は、この繊維３０２ａの分布状態や配向状態の違いを反映するので、この出力波形によって各用紙を個別に識別することが可能となる。
【００２６】
次に製造方法を説明する。まず、印刷用紙１０３ａに漉き込む磁性を示す繊維３０２ａの製造方法の一例を説明する。図４は、図３に示す磁性を示す繊維３０２ａの製造方法を示す概念図である。繊維３０２ａは、通常の樹脂系の繊維の製造工程において、溶融状態の樹脂原料中に磁性を示す材料の粉体を混ぜ、次いでこの液状の樹脂原料を細孔から噴出させることで得ることができる。
【００２７】
以下、繊維３０２ａの具体的な製造例を説明する。まず繊維製造装置４０１中に溶融状態のアクリロニトリル系共重合体と平均粒径が０．５μｍのフェライト粉末とをよく混合したものを投入する。アクリロニトリル系共重合体は、アクリル繊維の主原料であり、フェライト粒子は磁性粉末として機能する。フェライト粉末の粒径は、製造する繊維径の０．３〜４．０％程度とする。また、アクリル繊維に対するフェライト粉末の割合（フェライト粉末の重量／アクリル繊維の重量）は、７０重量％とする。この混合割合は、５０重量％〜８５重量％程度の範囲とすることが適当である。
【００２８】
両者の混合物を繊維製造装置４０１中に投入したら、温度および圧力条件を調整して、ノズル４０１ａ先端の細孔からこの混合物を噴出させ、糸状の繊維を形成する。ここでは、諸条件を調整することで、太さが３０μｍの繊維４０２を製造する。この繊維４０２は、内部にフェライト粉末の粒子が分散しており、アクリル繊維でありながら磁性を示す。この繊維４０２を５ｍｍの長さに切り揃えることで、磁性を示す繊維３０２ａ（図３）を得る。
【００２９】
次に図３に示す印刷用紙１０３ａの製造方法の一例を説明する。図５は、印刷用紙１０３ａを抄紙するための抄紙装置の概念図である。図５に示す抄紙装置は、ガイドローラ５０１と５０２とによって搬送される抄紙ベルト５０３を備えている。抄紙ベルト５０３は、漉かれた紙の原材料が貼り付く毛布状のベルトである。抄紙ベルト５０３は、円網５０４〜５０６に接触している。円網５０４〜５０６は、回転可能であり、それぞれ一部が紙の原料となるスラリー５０７ａ〜５０９ａに浸かっている。
【００３０】
符号５０７〜５０９は、スラリー５０７ａ〜５０９ａを貯めたスラリー容器である。ここで、スラリー５０７ａが図３の第１層３０１を形成するための原料スラリーであり、スラリー５０８ａが第２層３０２を形成するための原料スラリーであり、スラリー５０９ａが第３層３０３を形成するための原料スラリーである。ここで、スラリー５０７ａと５０９ａとは、通常の紙材料のスラリーである。スラリー５０８ａは、紙材料のスラリーに、上述したフェライト粒子を含んだアクリル繊維を混ぜたものである。このアクリル繊維の混合量は、製紙した状態において、アクリル繊維が１重量％程度になるように設定する。なお、製紙した状態におけるアクリル繊維の含有重量％は、０．３〜５重量％程度の範囲とすることが適当である。
【００３１】
抄紙においては、ガイドロール５０１と５０２を反時計回りに回転させ、それに同期させて円網５０４〜５０６を時計回りに回転させる。この際、円網５０４に第１層３０１が漉かれ、その漉かれた層が抄紙ベルト５０３に貼り付く。また、円網５０５に第２層が漉かれ、それが抄紙ベルト５０３表面の第１層３０１が堆積した層上にさらに貼り付く。また、円網５０６に第３層が漉かれ、それが抄紙ベルト５０３表面の第２層３０２が堆積した層上にさらに貼り付く。こうして、第１層３０１、第２層３０２および第３層３０３と３層に積層された積層体を得る。この３層に漉かれた積層体は、抄紙ベルト５０３に貼り付いた状態で搬送され、さらにガイドローラ５１１の部分で剥がされ、抄紙積層体５１０（紙になる前段階の積層体）として巻き取りローラ５１２に巻き取られる。この巻き取りローラ５１２に巻き取られた抄紙積層体を乾燥させ、適当に裁断することで、印刷用紙１０３ａを得ることができる。
【００３２】
図５に示す円網５０５の表面にスラリー５０８ｂが付着しない、あるいは付着が弱くなる領域を設けることで、第２層３０２を部分的に形成しない、あるいは薄くした構造を得ることができる。この場合、この第２層３０２の所定の部分を利用して、「透かし表示」を形成することができる。この「透かし表示」を利用すると、印刷用紙１０３ａに「透かし表示」による文字や図柄を入れることができる。
【００３３】
ここでは、通常の紙質の層を上下に配置し、その間に磁性を示す繊維を漉き込んだ層を配置した構造を説明したが、層構造に関しては、これに限定されるものではない。例えば、磁性を示す繊維を漉き込んだ層を複数重ね、表面および裏面に繊維の脱落を防ぐ保護層を設けた構造、通常の紙質の層と磁性を示す繊維を漉き込んだ層とを交互に積層した構造、あるいはこれらの構造の組み合わせや、これらの構造を一部に含んだ構造を採用することもできる。また、これらの構造において、繊維の脱落を防ぐために、繊維を漉き込んだ層のみにおいて、その表面および裏面に保護層を設けても良い。
【００３４】
樹脂繊維中に分散させる磁性材料としては、粒ではなく短繊維であってもよい。磁性材料としては、軟磁性のものが望ましいが、硬磁性であってもよい。磁性材料としては、マグネタイト、パーマロイ、鉄、その他磁性材料として知られている材料を利用することができる。繊維の母材としては、アクリル以外にＰＥＴ、ナイロン、ポリエステル、ポリプロピレン等の繊維に成形可能な樹脂系の材料を選択することができる。用紙を構成する紙の材料としては、特に限定されず、目的に応じたものを選択することができる。
【００３５】
（１−５：読み取り装置）
以下、印刷が行われた図１に示す印刷物１０３ｂの真正を識別するための読み取り装置の一例を示す。図６は、読み取り装置の構成を示す概念図である。図６において、磁気検出装置６０１は、印刷物１０３ｂの所定の領域における磁気情報を検出する。この機能は、図２の印刷装置の場合と同じである。磁気信号検出装置６０２は、磁気検出装置６０１の出力を検出し、それをバーコードデータと比較可能なデータ形式に変換する。符号６０３は、イメージセンサであり、バーコード１０６（図１参照）を読み取る。バーコード読み取り装置６０４は、イメージセンサ６０３の出力（バーコードデータ）を比較データに変換する。データ比較手段６０５は、磁気信号検出装置６０２の出力データと、バーコード読み取り装置６０４の出力データとを比較し、両者が一致するか否かの判定を行う。表示装置６０７は、データ比較手段６０５の判定結果を表示するディスプレイである。また、この読み取り装置は、図示しない読み取り対象の用紙を搬送する搬送系を備えている。
【００３６】
図１に示す印刷物１０３ｂが装置内に取り込まれると、図示しない搬送系により印刷物１０３ｂが矢印６０６の向きに搬送される。この際、磁気検出装置６０１によって、所定の領域（図１の識別情報読み取り領域１０４）の部分の磁気情報が検出される。この磁気情報は、磁気信号検出装置６０２によって、所定の形式のデータに変換され、磁気識別情報としてデータ比較装置６０５に出力される。一方、搬送中の印刷物１０３ｂに印刷されているバーコード１０６（図１参照）が、イメージセンサ６０３によって読み取られ、その出力はバーコード読み取り装置６０４に送られる。バーコード読み取り装置６０４は、イメージセンサ６０３の出力を、印刷識別情報として所定の形式のデータに変換する。
【００３７】
データ比較装置６０５は、磁気信号検出装置６０２の出力データとバーコード読み取り装置６０４の出力データとを比較し、両データが同一であれば、「真正」と判定し、両データが同一でなければ、「真正ではない」との判定を行う。また、その判定内容を含む信号を生成し、表示装置６０７に出力する。この信号を受けて、表示装置６０７に真正あるいは真正でない旨の表示（例えば文字表示や○×表示）が行われる。
【００３８】
印刷識別情報として、バーコードではなく文字列が利用されている場合は、バーコード読取装置６０４の代わりにＯＣＲ機能を備えた画像処理装置が配置される。この場合は、磁気信号検出装置で変換されたコードと、文字列から得られたコードとがデータ比較装置６０５において比較される。
【００３９】
なお、図６に示す読み取り装置の機能をスキャナーに配置することで、識別機能付きのスキャナーを得ることもできる。この場合、スキャナーが接続されるパーソナル・コンピュータのディスプレイ等に判定結果が表示されるようにすればよい。
【００４０】
２．第２の実施形態
以下、印刷物１０３ｂの偽造防止機能を高める工夫について説明する。本実施形態においては、識別情報読み取り領域１０４から読み取った磁気識別情報と、印刷内容１０５の所定の部分（例えば、本文のｎ行目）の記載内容とに基づいてバーコード１０６を作成する。すなわち、バーコード１０６に印刷内容１０５に関する情報を含ませ、バーコード１０６と印刷内容１０５とを関連付ける。
【００４１】
例えば、識別情報読み取り領域１０４から読み取られた磁気識別情報を所定の演算規則に従って数値化し第１の数列を得、さらに印刷内容１０５の５行目の最初の数文字をやはり所定の演算規則に従って数値化し第２の数列を得る。そして、第１の数列と第２の数列とから所定の方法によって、第３の数列を得、この第３の数列に基づいてバーコード１０６を印刷するためのバーコードデータを作成する。この方法によれば、バーコード１０６に、識別情報読み取り領域１０４が示す磁気データと、印刷内容１０５の内容とが含まれるので、文書だけの偽造やバーコード１０６だけの偽造が原理的に不可能になる。すなわち、真正判定に合格するためには、バーコード１０６と印刷内容１０５とを同時に印刷しなければならないので、一方の印刷だけを後から行う偽造が非常に難しくなる。これにより、例えば、印刷内容１０５を印刷していない印刷用紙１０３ａを予め不正に入手しておき、後から本文（印刷内容１０５）を印刷するような不正を非常に困難にすることができる。このように、この態様によれば、発行と同時に識別情報の印刷が行われることを厳格に識別することができる。このため、正式な発行手続を経て発行されたか否かを判定する識別機能に適したものとなる。
【００４２】
この態様を実現するには、図２に示す印刷制御装置２０４において、所定の印刷データ内からコード化する所定の部分の文字データを選び、さらにそれをコード化する。また、印刷制御装置２０４において、この印刷データから作成したコードと、磁気信号検出装置２０２から送られてくる磁気識別情報とに基づいて、印刷ヘッド２０３に送るバーコードデータ（図１のバーコード１０６の基となるバーコードデータ）を生成する。
【００４３】
また、真正の判断に際しては、図６に示す構成に、さらに印刷内容１０５（図１参照）を読み取るスキャナー、ＯＣＲ機能および識別情報をコード化するコード化装置を追加したものを用意する。この場合、スキャナーで読み取った文字の画像情報をＯＣＲ機能により文字データ化し、その中の所定部分の文字データをコード化装置においてコード化する。次にコード化装置において、印刷内容１０５から得たコードと磁気信号検出装置６０２から出力される磁気識別情報とに基づいて識別コードを生成（復元）する。最後にバーコード読み取り装置６０４から出力される印刷識別情報と先の識別コードとをデータ比較装置６０５において比較し、両者に所定の関係（例えば同一）があれば、真正、そうでなければ偽物と判定する。
【００４４】
本実施形態は以下のように把握することができる。すなわち、本実施形態に係る識別媒体の作成方法は、磁性材料を含んだ繊維を漉き込んだ紙の少なくとも一部を磁気検出手段によってスキャンするステップと、前記スキャン時における前記磁気検出手段の出力に基づいた磁気識別情報を生成するステップと、前記磁気識別情報と所定の印刷内容とに基づいて識別コードを得るステップと、前記所定の印刷内容と前記識別コードとを前記紙に記録するステップとを備える構成としては把握することができる。この場合、識別コードは、バーコード、数値、文字、図形等を用いて印刷表示することができる。また、識別コードは、磁気データとして用紙中に記録したり、用紙中に組み込んだＩＣチップに記録したりすることもできる。
【００４５】
また、本実施形態における識別媒体の作成装置は、磁性材料を含んだ繊維を漉き込んだ紙の少なくとも一部をスキャンする磁気検出手段と、前記スキャン時における前記磁気検出手段の出力に基づいた磁気識別情報を生成する磁気識別情報生成手段と、前記磁気識別情報と所定の印刷内容とに基づいて識別コードを得る識別コード生成手段と、前記所定の印刷内容と前記識別コードとを前記紙に記録する記録手段とを備える構成として把握することができる。
【００４６】
また、本実施形態における識別媒体の識別方法は、磁性材料を含んだ繊維を漉き込んだ紙の少なくとも一部をスキャンする磁気検出ステップと、前記スキャン時における前記磁気検出手段の出力に基づいた磁気識別情報を生成する磁気識別情報生成ステップと、所定の印刷内容および記録された識別情報（例えばバーコードや文字列）を読み取る読み取りステップと、前記磁気識別情報と前記所定の印刷内容とに基づいて識別コードを得る識別コード生成ステップと、前記識別情報と前記識別コードとを比較する比較ステップとを備えた構成として把握することができる。ここで、識別情報は、当該識別媒体の作成時に、用紙が有する磁気情報と印刷内容とに基づいて生成した識別コードをバーコード等に変換し、それを用紙に記録したものである。
【００４７】
また、本実施形態における識別媒体の識別装置は、磁性材料を含んだ繊維を漉き込んだ紙の少なくとも一部をスキャンする磁気検出手段と、前記スキャン時における前記磁気検出手段の出力に基づいた磁気識別情報を生成する磁気識別情報生成手段と、所定の印刷内容および識別情報を読み取る読み取り手段と、前記磁気識別情報と前記所定の印刷内容とに基づいて識別コードを得る識別コード生成手段と、前記識別情報と前記識別コードとを比較する比較手段とを備えた構成として把握することができる。
【００４８】
３．第３の実施形態
第２の実施形態の変形として、印刷文書の各行の画数や全体の画数をデータ化し、それを磁気情報に絡めて印刷識別情報を作成する例を挙げることができる。例えば、印刷時において、印刷文書における所定の行の文字数の情報をコード化し、それを磁気識別情報に組み合わせて、印刷識別情報を生成し、さらにそれをバーコード化する。そして、文書の印刷と同時に、この印刷識別情報のバーコードを印刷する。印刷された文書内容の改ざんがあると、画数が変わるので、識別時に読み取った印刷文書に関する情報とバーコードが示す識別情報とが一致しなくなる。これにより、真偽を判定することができる。
【００４９】
４．第４の実施形態
識別情報を紙に記録する方法として、バーコード等の印刷ではなく、用紙に設けられた磁気ストライプに磁気情報を記録する方法を採用することもできる。例えば、図１に示す印刷用紙１０３ａとして、符号１０６の部分に磁気記録領域を設けたものを用意する。そして、印刷内容１０５の印刷時にこの磁気記録領域に識別情報読み取り領域１０４から読み取った磁気情報を記録する。真偽の判定時には、符号１０６の部分の磁気記録領域が磁気センサによって読み取られ、識別情報読み取り領域１０４から読み取った磁気情報と照合される。
【００５０】
符号１０６の部分を磁気記録領域とする方法としては、符号１０６の部分に磁気記録領域として機能する小片を貼り付ける方法、当該領域に磁性粉や磁性を示す繊維を漉き込む方法、当該領域に磁性粉を分散させた塗料やバインダーを塗布し、磁気記録が可能な磁性層を形成する方法を挙げることができる。また、第１の実施形態において説明した磁性を示す繊維の他に、磁気記録に適した硬磁性体を分散させた繊維を別途用意し、符号１０６の部分だけに選択的にそれを漉き込み、符号１０６の部分を磁気記録領域としてもよい。また、図３の符号３０２ａによって示される繊維を、硬磁性体の粉末を分散保持させた繊維とし、任意の場所を磁気記録領域とすることもできる。
【００５１】
５．第５の実施形態
識別情報を紙に記録する方法として、バーコード等の印刷ではなく、用紙に埋め込んだ（あるいは貼り付けた）ＩＣチップに識別情報を記録する方法もある。例えば、図１に示す印刷用紙１０３ａとして、符号１０６の部分にＩＣチップを埋め込んだものを用意する。そして、印刷内容１０５の印刷時にこのＩＣチップに識別情報読み取り領域１０４から読み取った磁気情報を電磁的に記録する。真偽の判定時には、符号１０６の部分に埋め込まれたＩＣチップから、識別情報が電磁的に読み取られ、識別情報読み取り領域１０４から読み取った磁気情報と照合される。
【００５２】
６．他の実施形態
図１に示される印刷内容１０５としては、文書以外に図形や地図等であってもよい。すなわち、印刷が可能な表示あれば、印刷内容１０５は何であってもよい。また、所定の内容が印刷された印刷物１０３ｂとしては、重要書類以外に、証券、権利書、証明書、免許書、紙幣、指令書や指示書、金券、チケット、パスポート、各種の許可書、通帳、役所が発行する各種証明書（印鑑証明書や登記簿等）等を挙げることができる。また、図１には、パーソナル・コンピュータ１０２から送られてくる印刷データを印刷するシステムが記載されているが、例えば印刷装置１０１に記憶媒体を直接接続し、その記憶媒体中に記憶されている内容を印刷することもできる。また、ＬＡＮやインターネットに印刷装置１０１が接続されており、これらネット経由でデータを受け取り、印刷を行えるようにしてもよい。また、図１には、識別情報をバーコード１０６によって表示する例が示されているが、バーコード１０６の代わりに数字やアルファベッド、その他言語の文字、あるいはそれらの組み合わせを表示するようにしてもよい。この場合、磁気信号検出装置２０２は、予め定めておいた所定の変換規則を利用し、磁気検出装置２０１の出力に基づいて、印字する数字やアルファベットを生成する。
【００５３】
また、図１に示す印刷装置と図６に示す読み取り装置の機能を複合化することで、識別媒体の作成モードと照合モード（識別モード）とを有する複合機を得ることもできる。この場合、一つの装置を識別媒体の作成装置または識別媒体の識別装置として利用することができる。
【００５４】
また、真正の識別は、図１に示す印刷装置を用いて行うこともできる。まず、バーコード１０６の代わりに数列が印刷される場合を考える。この方法においては、既に所定の内容１０５およびバーコード１０６が印刷されている印刷物１０３ｂを、再度印刷装置１０１に通し空印刷を行う。すなわち、印刷物１０３ｂを再度印刷装置１０１に通し、何ら文書等の印刷を行わない印刷動作を行う。この場合、識別情報読み取り領域１０４は再度読み取られ、この際に読み取られた情報に基づいた数列がバーコード１０６の部分に再度印刷される。
【００５５】
印刷物１０３ｂが真正であれば、バーコード１０６の部分に印刷された数列は、既に印刷されている表示と同じであり、両者は重なる。一方、印刷物１０３ｂが偽物であれば、表示内容が異なるものが印刷される。こうして、バーコード１０６の部分に印刷される数列の重なり具合を見ることで、真性の判定を行うことができる。
【００５６】
本発明を利用した識別媒体の作成装置の機能をＦＡＸ、コピー機、さらには印刷、コピー、ＦＡＸの機能を兼ね備えた複合機に適用しても良い。例えば、ＦＡＸ機の場合、本発明を利用した用紙をセットし、そこに電送されてきた印刷内容を印刷することで、特定のＦＡＸ機から出力された書面であることを識別可能な書類を作成することができる。また例えば、コピー機の場合、コピーで得た書面が、所定のコピー機によって作成されたものであることを識別可能な書面を得ることができる。例えば、役所等において、住民票、戸籍謄本、印鑑証明、登記簿等の写しの交付を受ける場合を考える。この場合、後になってこれら書面が確かに役所において正規にコピーされ交付された物であるのか否かが問われる場合がある。コピー機に本発明を適用した場合、出力された印刷物が所定のコピー機を用いたものであるのか否かを識別することができるので、このような真偽判定を的確に行うことができる。
【００５７】
偽造防止効果を高めるために、印刷識別情報を暗号化し、それをバーコードや文字列として印刷してもよい。この場合、読み取り装置側に暗号化されたデータを復号する機能を配置する。こうすることで、印刷された内容に基づく偽造をより困難にすることができる。また、印刷の日付や印刷を行った機器の識別番号を用紙に記録される識別情報に組み込むことで、これら情報を識別の対象に利用することができる。この場合、印刷した日付、印刷を行った機器（印刷機やコピー機）を識別できる製造番号や管理番号等がコード化されて印刷識別情報として印刷される。このため、読み取り時に印刷履歴を読み出すこと、さらに印刷を行った機器を特定することが可能となる。この場合、正式な手順を踏んで発行されたものであるのか否かに関する識別性をさらに高くすることができる。また、この態様によれば、専用機でなければ、履歴を読み取ることができないので、専用機を用いれば印刷履歴を読み取ることができるが、不正にそれを読み取ることは困難である印刷物を得ることができる。
【産業上の利用可能性】
【００５８】
本発明は、識別機能を備えた印刷物を発行するシステムに利用することができる。
【図面の簡単な説明】
【００５９】
【図１】発明を利用した識別媒体の作成装置の概要を示す模式図である。
【図２】図１の作成装置の概要を示すブロック図である。
【図３】印刷用紙の概略の構造を示す概念図である。
【図４】磁性を示す繊維の製造方法を示す概念図である。
【図５】印刷用紙を抄紙するための抄紙装置の概念図である。
【図６】読み取り装置の概要を示すブロック図である。
【符号の説明】
【００６０】
１０１…印刷装置、１０２…パーソナル・コンピュータ、１０３ａ…印刷用紙、１０３ｂ…印刷物、１０４…識別情報読み取り領域、１０５…印刷内容、１０６…バーコード、２０１…磁気検出装置、２０２…磁気信号検出装置、２０３…印刷ヘッド、２０４…印刷制御装置、２０５…磁気検出装置の出力波形。
【図１】
2007164293.tif 000003
【図２】
2007164293.tif 000004
【図３】
2007164293.tif 000005
【図４】
2007164293.tif 000006
【図５】
2007164293.tif 000007
【図６】
2007164293.tif 000008